(57)【特許請求の範囲】
【請求項１】
ファインダー視野内に複数の表示領域を有し、これら表示領域の中から１の表示領域を選択するための第１の操作手段からの入力を受けて前記表示領域を移動させる制御手段を備えたカメラにおいて、
該カメラの第１の方向および第２の方向の姿勢にそれぞれ応じた第１モード及び第２モードを有しており、
前記制御手段は、
前記第１モードの場合には、前記第１の操作手段からの入力に基づいて前記表示領域を前記第２の方向に移動させ、
前記第２モードの場合には、前記第１の操作手段からの入力に基づいて前記表示領域を前記第１の方向に移動させることを特徴とするカメラ。
【請求項２】
前記モード設定手段は、横姿勢グリップ時に前記第１モードを設定し、縦姿勢グリップ時に前記第２モードを設定することを特徴とする請求項１に記載のカメラ。
【請求項３】
前記第１の操作手段のほか、第２および第３の操作手段を有し、前記第２の操作手段が横姿勢グリップした手の人差し指で操作可能な位置に配設され、前記第３の操作手段が縦姿勢クリップした手の人差し指で操作可能な位置に配設され前記第１の操作手段が横姿勢グリップした手および縦姿勢グリップした手の親指で操作可能な位置に配設されていることを特徴とする請求項２に記載のカメラ。
【請求項４】
前記第３の操作手段がカメラ本体に装着されるアクセサリに配設されていることを特徴とする請求項３に記載のカメラ。
【請求項５】
ファインダー視野内にカメラ本体の絶対横方向および絶対縦方向にそれぞれ複数配設された焦点検出領域を有し、これら焦点検出領域の中から焦点検出動作を行う領域を選択するための第１、第２、第３および第４の操作手段からの入力を受けて前記焦点検出領域を移動させる制御手段を備えたカメラにおいて、
該カメラの姿勢に応じて操作され、前記焦点検出領域を選択するための互いに異なる第１モード及び第２モードを設定可能なモード設定手段を有するとともに、前記第１および第３の操作手段が互いに同一の形態を有し、前記第２および第４の操作手段が互いに同一の形態を有しており、
前記制御手段は、
前記モード設定手段により前記第１モードが設定されている場合には、前記第１の操作手段からの入力を受けることにより前記焦点検出領域を前記絶対横方向に移動させるとともに、前記第２の操作手段からの入力を受けることにより前記焦点検出領域を前記絶対縦方向に移動させ、
前記モード設定手段により前記第２モードが設定されている場合には、前記第４の操作手段からの入力を受けることにより前記焦点検出領域を前記絶対横方向に移動させるとともに、前記第３の操作手段からの入力を受けることにより前記焦点検出領域を前記絶対縦方向に移動させることを特徴とするカメラ。
【請求項６】
前記モード設定手段は、横姿勢グリップ時に前記第１モードを設定し、縦姿勢グリップ時に前記第２モードを設定することを特徴とする請求項５に記載のカメラ。
【請求項７】
前記第１の操作手段が横姿勢グリップした手の人差し指で操作可能な位置に配設され、前記第２の操作手段が横姿勢クリップした手の親指で操作可能な位置に配設され前記第３の操作手段が縦姿勢グリップした手の人差し指で操作可能な位置に配設され、前記第４の操作手段が縦姿勢グリップした手の親指で操作可能な位置に配設されていることを特徴とする請求項６に記載のカメラ。
【請求項８】
前記第３の操作手段が、カメラ本体に装着されるアクセサリに配設されていることを特徴とする請求項５から７のいずれかに記載のカメラ。
【請求項９】
前記第３および第４の操作手段がカメラ本体に装着されるアクセサリに配設されていることを特徴とする請求項５から７のいずれかに記載のカメラ。
【発明の詳細な説明】
【０００１】
【発明の属する技術分野】
本発明は、ファインダー視野内に複数の焦点検出領域を有し、焦点検出動作を行う領域を撮影者が任意に選択できるカメラに関するものである。
【０００２】
【従来の技術】
オートフォーカスによる合焦動作のための焦点検出を行う焦点検出領域をファインダー視野の中央だけでなく、横方向および縦方向にそれぞれ複数設けたカメラが多用されている。このようなカメラを用いれば、ファインダー視野内の広い範囲での焦点検出が可能となり、被写体がファインダー中央に存在しない場合に、ファインダー中央に１領域だけ焦点検出領域を設けたカメラにおいて必要ないわゆるＡＦロックを行なわなくても被写体に対する合焦が可能である。
【０００３】
但し、ファインダー視野内の焦点検出領域数が増加すると、どの焦点検出領域に対して最終的に合焦動作を行うのかの選択肢が増えてしまうことにもなる。この点、カメラに自動的に最も至近側等の焦点検出領域の選択を行なわせるようにしてもよいが、これによって選択された焦点検出領域が必ずしも撮影者の意図と一致しない場合もある。
【０００４】
このため、撮影者の意図した焦点検出領域を確実に選択させる手段として、撮影者の眼球を観察して撮影者がファインダー視野内のどの位置を見ているかを割り出し、その位置に対応する焦点検出領域を選択する視線検出装置等が提案されている。しかし、このような装置をカメラに取り付けると、カメラの大型化やコストアップを招いたり、検出時間を必要とする分レリーズタイムラグが増加したりするといった問題が生ずる。特に、動きの速い被写体を撮影する場合には、視線検出装置によるレリーズタイムラグの遅れはシャッターチャンスを逃すことにつながる。
【０００５】
そこで、撮影者にカメラに設けられた操作手段を操作させることにより任意の焦点検出領域を選択させ、選択された焦点検出領域に対してのみ合焦動作を行なうようにして、撮影者の意図した撮影を行なわせることができるカメラが提案されている。
【０００６】
ところで、カメラは通常ファインダー視野が横長になる横姿勢で使用されるが、縦長の構図で撮影したい場合には、ファインダー視野が縦長になる縦姿勢で使用される。このため、複数の焦点検出領域の中から任意の領域を選択するための操作手段としては、カメラが縦姿勢にて使用される場合も横姿勢にて使用されるときと同様に良好な操作性を有するものが望ましい。
【０００７】
ここで、焦点検出領域の選択のための操作手段を有した従来のカメラについて図１１および図１２を用いて説明する。なお、図１１（ａ）はカメラを横姿勢で使用する場合を示しており、図１２（ａ）はカメラを縦姿勢で使用する場合を示している。また、図１１（ｂ）は横姿勢におけるファインダー視野を、図１２（ｂ）は縦姿勢におけるファインダー視野を示しており、各図中の‘□’が焦点検出領域を示している。
【０００８】
これらの図において、５１はカメラ本体、５２はファインダー、５３はカメラ本体上部に配設された第１の情報入力部材（操作手段）、５５はカメラ本体背面に配設された第２の情報入力部材（操作手段）、５４はカメラ本体下部に配設された第３の情報入力部材（操作手段）である。なお、第１および第３の情報入力部材５３，５４は互いに同一形態のダイヤルであり、第２の情報入力部材５５は第１および第３の情報入力部材５３，５４よりも大型のダイヤルである。
【０００９】
また、５６は横姿勢用焦点検出領域選択開始ボタンであり、これを押すことにより第１の情報入力部材５３と第２の情報入力部材５５による焦点検出領域の選択が可能となる。５７は縦姿勢用焦点検出領域選択開始ボタンであり、これを押すことにより第３の情報入力部材５４と第２の情報入力部材５５による焦点検出領域の選択が可能となる。
【００１０】
このように構成されたカメラを横姿勢で使用するときは、図１１（ａ）に示すように撮影者はカメラ本体をグリップし、横姿勢用焦点検出領域選択開始ボタン５６を押した上で、第１の情報入力部材５３を人差し指で回転操作することにより図１１（ｂ）に示す焦点検出領域の図中Ｈ方向（カメラの絶対横方向）の選択を行ない、第２の情報入力部材５５を親指で回転操作することによりＶ方向（カメラの絶対縦方向）の選択を行なう。
【００１１】
一方、カメラを縦姿勢で使用するときは、撮影者は図１２（ａ）に示すようにカメラをグリップし、縦姿勢用焦点検出領域選択開始ボタン５７を押した上で、第３の情報入力部材５４を人差し指で回転操作することにより図１２（ｂ）に示す焦点検出領域の図中Ｈ方向（カメラの絶対横方向）の選択を行ない、第２の情報入力部材５５を親指で回転操作することによりＶ方向（カメラの絶対縦方向）の選択を行なう。なお、このような選択操作により選択された焦点検出領域は、ファインダー視野内においてＬＥＤ等により照明される。
【００１２】
【発明が解決しようとする課題】
しかしながら、上記のようなカメラを縦姿勢にすると、撮影者がファインダーを観察して感じる横方向および縦方向と、カメラの絶対的なＨ方向およびＶ方向とでは９０度のずれが生じる。このため、カメラを横姿勢から縦姿勢に持ち替えたり縦姿勢から横姿勢に持ち替えたりした場合にどの操作手段でどの方向の選択を行えるのか迷ってしまい、焦点検出領域選択の操作にもたつきや誤操作を生じてしまうことがある。
【００１３】
そこで、本発明は、横姿勢および縦姿勢のどちらの姿勢においても焦点検出領域選択操作が同一の感覚で行えるようにしたカメラを提供することを目的としている。
【００１４】
【課題を解決するための手段】
上記の目的を達成するために、本願第１の発明では、ファインダー視野内に複数の表示領域を有し、これら表示領域の中から１の表示領域を選択するための第１の操作手段からの入力を受けて前記表示領域を移動させる制御手段を備えたカメラにおいて、該カメラの第１の方向および第２の方向の姿勢にそれぞれ応じた第１モード及び第２モードを有しており、前記制御手段により、前記第１モードの場合には、前記第１の操作手段からの入力に基づいて前記表示領域を前記第２の方向に移動させ、前記第２モードの場合には、前記第１の操作手段からの入力に基づいて前記表示領域を前記第１の方向に移動させるようにしている。
【００１５】
すなわち、カメラをいずれの姿勢で構えたときも、カメラ本体をグリップした手の人差し指で互いに同一形態を有する第１の操作手段又は第３の操作手段を操作すれば各姿勢で構えたときの横方向の焦点検出領域選択を行え、グリップした手の親指で第２の操作手段を操作すれば各姿勢で構えたときの縦方向の焦点検出領域選択を行えるようにして、いずれの姿勢においても焦点検出領域選択操作が同一の感覚で行える使い勝手の良いカメラを実現している。
【００１６】
また、本願第２の発明では、ファインダー視野内にカメラ本体の絶対横方向および絶対縦方向にそれぞれ複数配設された焦点検出領域を有し、これら焦点検出領域の中から焦点検出動作を行う領域を選択するための第１、第２、第３および第４の操作手段からの入力を受けて前記焦点検出領域を移動させる制御手段を備えたカメラにおいて、該カメラの姿勢に応じて操作され、焦点検出領域を選択するための互いに異なる第１モード及び第２モードを設定可能なモード設定手段を有するとともに、第１および第３の操作手段を互いに同一の形態とするとともに、第２および第４の操作手段を互いに同一の形態とし、制御手段により、モード設定手段により第１モードが設定されている場合には、第１の操作手段からの入力を受けることにより焦点検出領域を絶対横方向（横姿勢で構えたときの横方向）に移動させるとともに、第２の操作手段からの入力を受けることにより焦点検出領域を絶対縦方向（横姿勢で構えたときの縦方向）に移動させ、モード設定手段により第２モードが設定されている場合には、第４の操作手段からの入力を受けることにより焦点検出領域を上記絶対横方向に移動させるとともに、第３の操作手段からの入力を受けることにより焦点検出領域を上記絶対縦方向に移動させるようにしている。
【００１７】
すなわち、カメラをいずれの姿勢で構えたときも、カメラ本体をグリップした手の人差し指で互いに同一形態を有する第１の操作手段又は第３の操作手段を操作すれば各姿勢で構えたときの横方向の焦点検出領域選択を行え、グリップした手の親指等で互いに同一形態を有する第２の操作手段又は第４の操作手段を操作すれば各姿勢で構えたときの縦方向の焦点検出領域選択を行えるようにして、いずれの姿勢においても焦点検出領域選択操作が同一の感覚で行える使い勝手の良いカメラを実現している。
【００１８】
【発明の実施の形態】
（第１実施形態）
図１および図２には、本発明の第１実施形態であるカメラを示している。図１（ａ）はカメラを横姿勢で使用する場合を示しており、図２（ａ）はカメラを縦姿勢で使用する場合を示している。また、図１（ｂ）は横姿勢におけるファインダー視野を、図２（ｂ）は縦姿勢におけるファインダー視野を示しており、各図中の‘□’が焦点検出領域を示している。
【００１９】
これらの図において、１１はカメラ本体、１２はファインダー、１３はカメラ本体１１の上部に配設された第１の情報入力部材（操作手段）、１５はカメラ本体背面に配設された第２の情報入力部材（操作手段）、１４はカメラ本体１１の下部に配設された第３の情報入力部材（操作手段）である。なお、各情報入力部材１３〜１５は、後述する焦点検出領域の選択のために操作される以外に、各種撮影情報の詳細な選択や設定を行うためにも操作され、種々の撮影モードに応じて異なった情報入力手段として機能する。
【００２０】
また、第１の情報入力部材１３と第３の情報入力部材１４は、互いに同じ形態のダイヤルであり、それぞれカメラを横姿勢および縦姿勢で構えたときにカメラをグリップした手の人差し指で操作するのに最適な位置（レリーズボタンの近く）に配置されている。また、第２の情報入力部材１５は第１の情報入力部材１３および第３の情報入力部材１４よりも大型のダイヤルであり、カメラを横姿勢および縦姿勢で構えたときにカメラをグリップした手の親指で操作するのに最適な位置に配置されている。
【００２１】
１６は横姿勢用焦点検出領域選択開始ボタンであり、これを押すことにより第１の情報入力部材１３と第２の情報入力部材１５による焦点検出領域の選択を可能とする第１モードが設定される。１７は縦姿勢用焦点検出領域選択開始ボタンであり、これを押すことにより第３の情報入力部材１４と第２の情報入力部材１５による焦点検出領域の選択を可能とする第２モードが設定される。
【００２２】
図３には、本実施形態のカメラの電気回路を示している。この図において、１００はマイクロコンピュータ（以下、ＣＰＵという）でり、このＣＰＵ１００には、測光回路１０２、自動焦点検出回路１０３、信号入力制御回路１０４、ＬＣＤ駆動回路１０５、ＬＥＤ駆動回路１０６、シャッタ制御回路１０８、モータ制御回路１０９が接続されている。また、ＣＰＵ１００は、撮影レンズ（図示せず）内に配置された焦点調節回路１１０、絞り駆動回路１１１と不図示のマウント接点を介して信号の伝達を行う。また、ＣＰＵ１００には、カメラの各種機能のデータを記憶するＥＥＰＲＯＭ１００ａが付随している。
【００２３】
１３〜１７および３０〜３４はそれぞれカメラ本体１１内の情報入力用操作手段である。ＳＷ−ＭＤＩＡＬ１とＳＷ−ＭＤＩＡＬ２はそれぞれ、第１の情報入力部材１３に設けられたダイヤルスイッチであり、第１の情報入力部材１３の回転方向によって異なるタイミングで信号を出力する。これらダイヤルスイッチからの信号は信号入力制御回路１０４のアップダウンカウンタに入力され、このアップダウンカウンタによって第１の情報入力部材１３の回転量と回転方向とが検出される。
【００２４】
ＳＷ−ＭＤＩＡＬ１′とＳＷ−ＭＤＩＡＬ２′はそれぞれ、第３の情報入力部材１４に設けられたダイヤルスイッチであり、第３の情報入力部材１４の回転方向によって異なるタイミングで信号を出力する。これらダイヤルスイッチからの信号は信号入力制御回路１０４のアップダウンカウンタに入力され、このアップダウンカウンタによって第３の情報入力部材１４の回転量と回転方向とが検出される。
【００２５】
ＳＷ−ＳＤＩＡＬ１とＳＷ−ＳＤＩＡＬ２はそれぞれ、第２の情報入力部材１５に設けられたダイヤルスイッチであり、第２の情報入力部材１５の回転方向によって異なるタイミングで信号を出力する。これらダイヤルスイッチからの信号は信号入力制御回路１０４のアップダウンカウンタに入力され、このアップダウンカウンタによって第２の情報入力部材１５の回転量と回転方向とが検出される。
【００２６】
ＳＷ−ＡＦＳは横姿勢用焦点検出領域選択開始ボタン１６を押すことによってＯＮするスイッチであり、ＳＷ−ＡＦＳ′は縦姿勢用焦点検出領域選択開始ボタン１７を押すことによってＯＮするスイッチである。
【００２７】
ＳＷ１はカメラ本体１１に設けられた横姿勢用レリーズボタン３０の第１ストローク操作によってＯＮし、測光、ＡＦ、視線検出動作等を開始させるスイッチであり、ＳＷ２は横姿勢用レリーズボタン３０の第２ストローク操作でＯＮして露光動作を行わせるスイッチである。
【００２８】
ＳＷ−ＡＥＬはカメラ本体１１の上部に設けられた横姿勢用ＡＥロックボタン３１を押すことによってＯＮするスイッチである。ＳＷ１′はアクセサリーに設けられた縦姿勢用レリーズボタン３２の第１ストローク操作によってＯＮし、測光、ＡＦ、視線検出動作等を開始させるスイッチであり、ＳＷ２′は縦姿勢用レリーズボタン３２の第２ストローク操作でＯＮして露光動作を行わせるスイッチである。
【００２９】
ＳＷ−ＡＥＬ′はカメラ本体１１の下部に配設された縦姿勢用ＡＥロックボタン３３を押すことによってＯＮするスイッチである。３４はカメラ本体１１に設けられたモードダイヤルであり、これを回転操作することで各種の撮影モードの選択設定を行うことができる。
【００３０】
測光回路１０２は、測光センサ１０２ａから送られてくる輝度信号を増幅後、対数圧縮、Ａ／Ｄ変換し、各センサの輝度情報としてＣＰＵ１００に送信する。
測光センサー１０２ａはファインダー視野内の予め決められた４つの領域を測光するフォトダイオードから構成されている。ラインセンサー１０３ａは不図示のピント板の表示部に設けられた複数の焦点検出領域に対応したラインセンサーから構成される公知のＣＣＤラインセンサーである。自動焦点検出回路１０３は、これらラインセンサー１０３ａから得た電圧をＡ／Ｄ変換し、ＣＰＵ１００に送る。
【００３１】
ＬＣＤ駆動回路１０５は、液晶表示素子ＬＣＤを表示駆動させるための公知の回路であり、ＣＰＵ１００からの信号に従い絞り値、シャッター秒時、設定した撮影モード等の表示をモニター用ＬＣＤ１０５ｂとファインダー内ＬＣＤ１０５ａの両方に同時に表示させる。また、ＬＣＤ駆動回路１０５は、スーパーインポーズ用ＬＣＤ１０５ｃに、ピント板上の複数の焦点検出領域のどれに対して合焦動作を行わせるのかや、どれに対して合焦動作を行ったのかをＣＰＵ１００からの信号に従い表示する。
【００３２】
ＬＥＤ駆動回路１０６は、照明用ＬＥＤ（Ｆ−ＬＥＤ）１０６ａとスーパーインポーズ用ＬＥＤ（ＳＩ−ＬＥＤ）１０６ｂとを点灯、点滅制御する。シャッタ制御回路１０８は、通電されると先幕を走行させるマグネットＭＧー１と、後幕を走行させるマグネットＭＧ−２とを制御し、感光部材に所定光量を露光させる。モータ制御回路１０９は、フィルムの巻上げ、巻戻しを行なうモータＭ１と主ミラー２およびシャッタ４のチャージを行なうモータＭ２とを制御する。シャッタ制御回路１０８およびモータ制御回路１０９によって一連のカメラのレリーズシーケンスが制御される。
【００３３】
次に、本カメラ（ＣＰＵ１００）における各情報入力部材１３〜１５による焦点検出領域の選択動作を図４のフローチャートを用いて説明する。
【００３４】
ステップ１では、横姿勢用焦点検出領域選択開始ボタン１６（ＳＷ−ＡＦＳ）がＯＮされているか否かを判別し、ＯＮされているときはステップ２へ進み、前述した第１モードのルーチンに入る。一方、横姿勢用焦点検出領域選択開始ボタン１６がＯＦＦのときはステップ６に進む。
【００３５】
ステップ２では、第１の情報入力部材１３又は第２の情報入力部材１５からの信号が入力されているか否かを検出するとともに、入力されているときはその信号がいずれの情報入力部材からの信号かを判別する。第１の情報入力部材１３からの信号ならばステップ３へ進み、第２の情報入力部材１５からの信号ならばステップ４へ進む。
【００３６】
ステップ３では、第１の情報入力部材１３からの信号をアップダウンカウンターにてカウントし、信号入力制御回路１０４およびＣＰＵ１００を通して、ＬＣＤ駆動回路１０５およびＬＥＤ駆動回路１０６に対して図１（ｂ）のＨ方向（カメラの絶対横方向であり、横姿勢における横方向）に合焦動作（焦点検出動作）を行わせる焦点検出領域の表示の移動を行なわせる。Ｈ方向のうちどの方向に移動させるかは、第１の情報入力部材１３に設けられた２つのスイッチＳＷ−ＭＤＩＡＬ１，ＳＷ−ＭＤＩＡＬ２からの信号のＯＮ・ＯＦＦタイミングにより決定される。
【００３７】
ステップ４では、第２の情報入力部材１５からの信号をアップダウンカウンターにてカウントし、信号入力制御回路１０４およびＣＰＵ１００を通して、ＬＣＤ駆動回路１０５およびＬＥＤ駆動回路１０６に対して図１（ｂ）のＶ方向（カメラの絶対縦方向であり、横姿勢における縦方向）に合焦動作を行わせる焦点検出領域の表示の移動を行なわせる。Ｖ方向のうちどの方向へ移動させるかは、第２の情報入力部材１５に設けられた２つのスイッチＳＷ−ＳＤＩＡＬ１，ＳＷ−ＳＤＩＡＬ２からの信号のＯＮ・ＯＦＦタイミングにより決定される。
【００３８】
このようにステップ３，４にて焦点検出領域を移動させた後、ステップ５に進み、ＳＷ１の信号をモニターし、これがＯＦＦならばステップ２へ戻り、再度第１の情報入力部材１３と第２の情報入力部材１５からの信号の検出ルーチンに入る。一方、ＳＷ１の信号がＯＮならばステップ１の通常の操作モニターへ戻る。ステップ６では、縦姿勢用焦点検出領域選択開始ボタン１７（ＳＷ−ＡＦＳ´）がＯＮされているか否かを判別し、ＯＮされているときはステップ７へ進み、前述した第２モードのルーチンに入る。一方、縦姿勢用焦点検出領域選択開始ボタン１７がＯＦＦのときはステップ１に戻る。
【００３９】
ステップ７では、第２の情報入力部材１５又は第３の情報入力部材１４からの信号が入力されているか否かを検出するとともに、入力されているときはその信号がいずれの情報入力部材からの信号かを判別する。第２の情報入力部材１５からの信号ならばステップ８へ進み、第３の情報入力部材１４からの信号ならばステップ９へ進む。
【００４０】
ステップ８では、第２の情報入力部材１５からの信号をアップダウンカウンターにてカウントし、信号入力制御回路１０４およびＣＰＵ１００を通して、ＬＣＤ駆動回路１０５およびＬＥＤ駆動回路１０６に対して図２（ｂ）のＨ方向（カメラの絶対横方向であり、縦姿勢における縦方向）に合焦動作を行わせる焦点検出領域の表示の移動を行なわせる。つまり、横姿勢用焦点検出領域選択開始ボタン１６がＯＮされたときには焦点検出領域のＶ方向の選択に用いられる第２の情報入力部材１５を、縦姿勢用焦点検出領域選択開始ボタン１７がＯＮされたときには焦点検出領域のＨ方向の選択に用いるようにしている。なお、Ｈ方向のうちどの方向に移動させるかは、第２の情報入力部材１５に設けられた２つのスイッチＳＷ−ＳＤＩＡＬ１，ＳＷ−ＳＤＩＡＬ２からの信号のＯＮ・ＯＦＦタイミングにより決定される。
【００４１】
ステップ９では、第３の情報入力部材１４からの信号をアップダウンカウンターにてカウントし、信号入力制御回路１０４およびＣＰＵ１００を通して、ＬＣＤ駆動回路１０５およびＬＥＤ駆動回路１０６に対して図２（ｂ）のＶ方向（カメラの絶対縦方向であり、縦姿勢における横方向）に合焦動作を行わせる焦点検出領域の表示の移動を行なわせる。Ｖ方向のうちどの方向へ移動させるかは、第３の情報入力部材１４に設けられた２つのスイッチＳＷ−ＭＤＩＡＬ１´，ＳＷ−ＭＤＩＡＬ２´からの信号のＯＮ・ＯＦＦタイミングにより決定される。
【００４２】
このようにステップ８，９にて焦点検出領域を移動させた後、ステップ１０に進み、ＳＷ１（ＳＷ１′）の信号をモニターし、これがＯＦＦならばステップ７へ戻り、再度第２の情報入力部材１５と第３の情報入力部材１４からの信号の検出ルーチンに入る。一方、ＳＷ１の信号がＯＮならばステップ１の通常の操作モニターへ戻る。
【００４３】
以上のように構成されたカメラを横姿勢で使用するときは、撮影者は図１（ａ）に示すようにカメラ本体１１をグリップし、横姿勢用焦点検出領域選択開始ボタン１６をＯＮした上で、第１の情報入力部材１３を人差し指で回転操作することにより図１（ｂ）に示す焦点検出領域の横方向（カメラの絶対横方向）の選択を行ない、第２の情報入力部材１５を親指で回転操作することにより縦方向（カメラの絶対縦方向）の選択を行なう。
【００４４】
一方、カメラを縦姿勢で使用するときは、撮影者は図２（ａ）に示すようにカメラ本体１１をグリップし、縦姿勢用焦点検出領域選択開始ボタン１７をＯＮした上で、第３の情報入力部材１４を人差し指で回転操作することにより図２（ｂ）に示す横方向（カメラの絶対縦方向）の選択を行ない、第２の情報入力部材１５を親指で回転操作することにより焦点検出領域の縦方向（カメラの絶対横方向）の選択を行なう。
【００４５】
このように、本実施形態のカメラでは、これを横姿勢で用いる場合も縦姿勢で用いる場合も、撮影者は人差し指による同一形態の情報入力部材１３，１４の操作でカメラを構えた状態での焦点検出領域の横方向選択を行なうことができ、親指による情報入力部材１５の操作でカメラを構えた状態での焦点検出領域の縦方向選択を行うことができる。このため、カメラの姿勢によって撮影者がファインダーを観察して感じる横方向および縦方向と、カメラの絶対的なＨ方向およびＶ方向とでずれが生じても、どの情報入力部材でどの方向の焦点検出領域の選択を行えるのかを迷うことがなくなるとともに、いずれの姿勢でも同一感覚で焦点検出領域の選択操作を行うことができるので、焦点検出領域選択の操作にもたつきや誤操作を生じることを防止できる。
【００４６】
なお、図５および図６には、図２とは異なる持ち方でカメラを縦姿勢でホールディングした状態を示している。いずれの場合も、カメラは縦姿勢であるが、撮影者は縦姿勢時に通常使用される第２および第３の情報入力部材１５，１４を使わずに、本来横姿勢時に使用される第１および第２の情報入力部材１３，１５を使う構え方をしている。このような構え方は、特に被写体のフレーミングを横姿勢でするか縦姿勢でするかを確認する際、カメラのホールディングを変えずに素早くフレーミングを確認するために行われ、しかもこのままの構え方で撮影を行う場合もある。また、撮影状況や撮影者によっては、図６に示すように、縦姿勢のカメラの下側を手で支えながら撮影および操作をする場合もある。
【００４７】
このような場合、撮影者は頻繁にカメラを縦姿勢と横姿勢との間で繰り返し移動させる可能性が多い。したがって、カメラが縦姿勢であっても、横姿勢用の情報入力部材１３，１５を使用して焦点検出領域を選択操作するときにおいては、むしろカメラを横姿勢に戻した時と同一の操作にしておいた方が感覚的な混乱が発生しにくく、本時のカメラの構成においてはそれが可能である。
【００４８】
（第２実施形態）
図７には、本発明の第２実施形態であるカメラを示している。この図において、６０はカメラ本体、６１はカメラ本体６０に着脱可能なアクセサリ、６２はファインダー、６３はカメラ本体上部に配設された第１の情報入力部材（操作手段）、６５はカメラ本体背面に配設された第２の情報入力部材（操作手段）、６４はアクセサリ６１に配設された第３の情報入力部材（操作手段）である。なお、各情報入力部材６３〜６５は、焦点検出領域の選択のために操作される以外に、各種撮影情報の詳細な選択や設定を行うためにも操作され、種々の撮影モードに応じて異なった情報入力手段として機能する。
【００４９】
また、第１の情報入力部材６３と第３の情報入力部材６４は互いに同一形態のダイヤルであり、それぞれカメラを横姿勢および縦姿勢で構えたときにカメラをグリップした手の人差し指で操作するのに最適な位置（レリーズボタンの近く）に配置されている。また、第２の情報入力部材６５は、第１の情報入力部材６３および第３の情報入力部材６４よりも大型のダイヤルであり、カメラを横姿勢および縦姿勢で構えたときにカメラをグリップした手の親指で操作するのに最適な位置に配置されている。
【００５０】
６６は横姿勢用焦点検出領域選択開始ボタンであり、これを押すことにより第１の情報入力部材６３と第２の情報入力部材６５による焦点検出領域の選択を可能とする第１モードが設定される。６７は縦姿勢用焦点検出領域選択開始ボタンであり、これを押すことにより第３の情報入力部材６４と第２の情報入力部材６５による焦点検出領域の選択を可能とする第２モードが設定される。
【００５１】
このように構成されたカメラを横姿勢で使用するときは、撮影者は図７に示すようにカメラ本体６０をグリップし、横姿勢用焦点検出領域選択開始ボタン６６をＯＮした上で、第１の情報入力部材６３を人差し指で回転操作することにより、第１実施形態と同様に焦点検出領域の横方向（カメラの絶対横方向）の選択を行ない、第２の情報入力部材６５を親指で回転操作することにより縦方向（カメラの絶対縦方向）の選択を行なう。
【００５２】
一方、カメラを縦姿勢で使用するときは、撮影者は図２（ａ）に示すようにアクセサリ６１をグリップし、縦姿勢用焦点検出領域選択開始ボタン６７をＯＮした上で、第３の情報入力部材６４を人差し指で回転操作することにより横方向（カメラの絶対縦方向）の選択を行ない、第２の情報入力部材６５を親指で回転操作することにより焦点検出領域の縦方向（カメラの絶対横方向）の選択を行なう。
【００５３】
このように本実施形態のカメラでは、これを横姿勢で用いる場合も縦姿勢で用いる場合も、撮影者は人差し指による同一形態の情報入力部材６３，６４の操作でカメラを構えた状態での焦点検出領域の横方向選択を行なうことができ、親指による情報入力部材６５の操作でカメラを構えた状態での焦点検出領域の縦方向選択を行うことができる。このため、カメラの姿勢によって撮影者がファインダーを観察して感じる横方向および縦方向と、カメラの絶対的なＨ方向およびＶ方向とでずれが生じても、どの情報入力部材でどの方向の焦点検出領域の選択を行えるのかを迷うことがなくなるとともに、いずれの姿勢でも同一感覚で焦点検出領域の選択操作を行うことができるので、焦点検出領域選択の操作にもたつきや誤操作を生じることを防止できる。
【００５４】
また、本実施形態では、第３の情報入力部材６４と縦姿勢用焦点検出領域選択開始ボタン６７をアクセサリ６１に配置しており、カメラ本体６０とアクセサリ６１を電気的に接続する不図示のコネクタによって両者の制御信号の受け渡しを行っている。これにより、カメラ本体６０自身の小型・軽量化を図ることが可能となる。
【００５５】
（第３実施形態）
図８には、本発明の第３実施形態であるカメラを示している。この図において、７１はカメラ本体、７２はファインダー、７３はカメラ本体７１の上部に配設された第１の情報入力部材（操作手段）、７５はカメラ本体７１の上部における第１の情報入力部材７３の近くに配設された第２の情報入力部材（操作手段）、７４はカメラ本体７１の下部に配設された第３の情報入力部材（操作手段）、７８はカメラ本体７１の下部における第３の情報入力部材７４の近くに配設された第４の情報入力部材（操作手段）である。なお、情報入力部材７３，７５および情報入力部材７５，７８は、後述する焦点検出領域の選択のために操作される以外に、各種撮影情報の詳細な選択や設定を行うためにも操作され、種々の撮影モードに応じて異なった情報入力手段として機能する。
【００５６】
また、第１の情報入力部材７３と第３の情報入力部材７４は互いに同一形態を有するダイヤルであり、それぞれカメラを横姿勢および縦姿勢で構えたときにカメラをグリップした手の人差し指で操作するのに最適な位置（レリーズボタンの近く）に配置されている。また、第２の情報入力部材７５と第４の情報入力部材７８は互いに同一の形態のボタンであり、それぞれカメラを横姿勢および縦姿勢で構えたときにカメラをグリップした手の親指で操作するのに最適な位置に配置されている。
【００５７】
７６は横姿勢用焦点検出領域選択開始ボタンであり、これを押すことにより第１の情報入力部材７３と第２の情報入力部材７５による焦点検出領域の選択を可能とする第１モードが設定される。７７は縦姿勢用焦点検出領域選択開始ボタンであり、これを押すことにより第３の情報入力部材７４と第４の情報入力部材７８による焦点検出領域の選択を可能とする第２モードが設定される。
【００５８】
このように構成されたカメラを横姿勢で使用するときは、撮影者は図８に示すようにカメラ本体７１をグリップし、横姿勢用焦点検出領域選択開始ボタン７６をＯＮした上で、第１の情報入力部材７３を人差し指で回転操作することにより、第１実施形態と同様に、焦点検出領域の横方向（カメラの絶対横方向）の選択を行ない、第２の情報入力部材７５を親指で操作することにより縦方向（カメラの絶対縦方向）の選択を行なう。
【００５９】
一方、カメラを縦姿勢で使用するときは、撮影者は図２（ａ）に示すようにカメラ本体７１をグリップし、縦姿勢用焦点検出領域選択開始ボタン７７をＯＮした上で、第３の情報入力部材７４を人差し指で回転操作することにより焦点検出領域の横方向（カメラの絶対縦方向）の選択を行ない、第４の情報入力部材７８を親指で操作することにより縦方向（カメラの絶対横方向）の選択を行なう。
【００６０】
このように本実施形態のカメラでは、これを横姿勢で用いる場合も縦姿勢で用いる場合も、撮影者は人差し指による同一形態の情報入力部材７３，７４の操作でカメラを構えた状態での焦点検出領域の横方向選択を行なうことができ、親指による同一形態の情報入力部材７５，７８操作でカメラを構えた状態での焦点検出領域の縦方向選択を行うことができる。このため、カメラの姿勢によって撮影者がファインダーを観察して感じる横方向および縦方向と、カメラの絶対的なＨ方向およびＶ方向とでずれが生じても、どの情報入力部材でどの方向の焦点検出領域の選択を行えるのかを迷うことがなくなるとともに、いずれの姿勢でも同一感覚で焦点検出領域の選択操作を行うことができるので、焦点検出領域選択の操作にもたつきや誤操作を生じることを防止できる。
【００６１】
なお、本実施形態のように、第２の情報入力部材７５と第４の情報入力部材７８とをカメラの別々の位置に配置することにより、カメラの背蓋部に大型の情報入力部材を設ける必要がなくなり、カメラの小型化を図ることができる。また、親指によるダイヤル操作と比較しても、通常のカメラのホールディング状態を維持したまま入力操作を楽に行うことができる。
【００６２】
（第４実施形態）
図９には、本発明の第４実施形態であるカメラを示している。この図において、８０はカメラ本体、８１はカメラ本体８０に着脱可能なアクセサリ、８２はファインダー、８３はカメラ本体８０の上部に配設された第１の情報入力部材（操作手段）、８５はカメラ本体８０の上部における第１の情報入力部材８３の近くに配設された第２の情報入力部材（操作手段）、８４はアクセサリ８１に配設された第３の情報入力部材（操作手段）、８８はアクセサリ８１における第３の情報入力部材８４の近くに配設された第４の情報入力部材（操作手段）である。なお、情報入力部材８３，８５および情報入力部材８５，８８は、後述する焦点検出領域の選択のために操作される以外に、各種撮影情報の詳細な選択や設定を行うためにも操作され、種々の撮影モードに応じて異なった情報入力手段として機能する。
【００６３】
また、第１の情報入力部材８３と第３の情報入力部材８４は互いに同一形態のダイヤルであり、それぞれカメラを横姿勢および縦姿勢で構えたときにカメラをグリップした手の人差し指で操作するのに最適な位置（レリーズボタンの近く）に配置されている。また、第２の情報入力部材８５と第４の情報入力部材８８は互いに同一形態のボタンであり、それぞれカメラを横姿勢および縦姿勢で構えたときにカメラをグリップした手の親指で操作するのに最適な位置に配置されている。
【００６４】
８６は横姿勢用焦点検出領域選択開始ボタンであり、これを押すことにより第１の情報入力部材８３と第２の情報入力部材８５による焦点検出領域の選択を可能とする第１モードが設定される。８７は縦姿勢用焦点検出領域選択開始ボタンであり、これを押すことにより第３の情報入力部材８４と第４の情報入力部材８８による焦点検出領域の選択を可能とする第２モードが設定される。
【００６５】
このように構成されたカメラを横姿勢で使用するときは、撮影者は図９に示すようにカメラ本体８０をグリップし、横姿勢用焦点検出領域選択開始ボタン８６をＯＮした上で、第１の情報入力部材８３を人差し指で回転操作することにより、第１実施形態と同様に、焦点検出領域の横方向（カメラの絶対横方向）の選択を行ない、第２の情報入力部材８５を親指で操作することにより縦方向（カメラの絶対縦方向）の選択を行なう。
【００６６】
一方、カメラを縦姿勢で使用するときは、撮影者は図２（ａ）に示すようにアクセサリ８１をグリップし、縦姿勢用焦点検出領域選択開始ボタン８７をＯＮした上で、第３の情報入力部材８４を人差し指で回転操作することにより焦点検出領域の横方向（カメラの絶対縦方向）の選択を行ない、第４の情報入力部材８８を親指で操作することにより縦方向（カメラの絶対横方向）の選択を行なう。
【００６７】
このように本実施形態のカメラでは、これを横姿勢で用いる場合も縦姿勢で用いる場合も、撮影者は人差し指による同一形態の情報入力部材８３，８４の操作でカメラを構えた状態での焦点検出領域の横方向選択を行なうことができ、親指による同一形態の情報入力部材８５，８８の操作でカメラを構えた状態での焦点検出領域の縦方向選択を行うことができる。このため、カメラの姿勢によって撮影者がファインダーを観察して感じる横方向および縦方向と、カメラの絶対的なＨ方向およびＶ方向とでずれが生じても、どの情報入力部材でどの方向の焦点検出領域の選択を行えるのかを迷うことがなくなるとともに、いずれの姿勢でも同一感覚で焦点検出領域の選択操作を行うことができるので、焦点検出領域選択の操作にもたつきや誤操作を生じることを防止できる。
【００６８】
なお、本実施形態のように、第２の情報入力部材８５と第４の情報入力部材８８とをカメラの別々の位置に配置することにより、カメラの背蓋部に大型の情報入力部材を設ける必要がなくなり、カメラの小型化を図ることができる。また、親指によるダイヤル操作と比較しても、通常のカメラのホールディング状態を維持したまま入力操作が楽に行うことができる。
【００６９】
また、本実施形態では、第３の情報入力部材８４、縦姿勢用焦点検出領域選択開始ボタン８７および第４の情報入力部材８８をカメラ本体８０に着脱可能なアクセサリ８１に配置しており、カメラ本体８０とアクセサリ８１とを電気的に接続する不図示のコネクタによって両者間の制御信号の受け渡しを行っている。このため、カメラ本体８０自身の小型・軽量化を図ることができる。
【００７０】
（第５実施形態）
図１０には、本発明の第５実施形態であるカメラを示している。この図において、９０はカメラ本体、９１はカメラ本体９０に着脱可能なアクセサリ、９２はファインダー、９３はカメラ本体９１の上部に配設された第１の情報入力部材（操作手段）、９５はカメラ本体８１の上部における第１の情報入力部材９３の近くに配設された第２の情報入力部材（操作手段）、９４はアクセサリ９１に配設された第３の情報入力部材（操作手段）、９８はアクセサリ９１における第３の情報入力部材９４の近くに配設された第４の情報入力部材（操作手段）である。なお、情報入力部材９３，９５および情報入力部材９５，９８は、後述する焦点検出領域の選択のために操作される以外に、各種撮影情報の詳細な選択や設定を行うためにも操作され、種々の撮影モードに応じて異なった情報入力手段として機能する。
【００７１】
また、第１の情報入力部材９３と第３の情報入力部材９４は互いに同一形態のダイヤルであり、それぞれカメラを横姿勢および縦姿勢で構えたときにカメラをグリップした手の人差し指で操作するのに最適な位置（レリーズボタンの近く）に配置されている。また、第２の情報入力部材９５と第４の情報入力部材９８は互いに同一形態のボタンであり、それぞれカメラを横姿勢および縦姿勢で構えたときにカメラをグリップした手の親指で操作するのに最適な位置に配置されている。
【００７２】
９６は横姿勢用焦点検出領域選択開始ボタンであり、これを押すことにより第１の情報入力部材９３と第２の情報入力部材９５による焦点検出領域の選択を可能とする第１モードが設定される。９７は縦姿勢用焦点検出領域選択開始ボタンであり、これを押すことにより第３の情報入力部材９４と第４の情報入力部材９８による焦点検出領域の選択を可能とする第２モードが設定される。
【００７３】
このように構成されたカメラを横姿勢で使用するときは、撮影者は図１０に示すようにカメラ本体９０をグリップし、横姿勢用焦点検出領域選択開始ボタン９６をＯＮした上で、第１の情報入力部材９３を人差し指で回転操作することにより、第１実施形態と同様に、焦点検出領域の横方向（カメラの絶対横方向）の選択を行ない、第２の情報入力部材９５を親指で操作することにより縦方向（カメラの絶対縦方向）の選択を行なう。
【００７４】
一方、カメラを縦姿勢で使用するときは、撮影者は図２（ａ）に示すようにアクセサリ９１をグリップし、縦姿勢用焦点検出領域選択開始ボタン９７をＯＮした上で、第３の情報入力部材９４を人差し指で回転操作することにより焦点検出領域の横方向（カメラの絶対縦方向）の選択を行ない、第４の情報入力部材９８を親指で操作することにより縦方向（カメラの絶対横方向）の選択を行なう。
【００７５】
このように本実施形態のカメラでは、これを横姿勢で用いる場合も縦姿勢で用いる場合も、撮影者は人差し指による同一形態の情報入力部材９３，９４の操作でカメラを構えた状態での焦点検出領域の横方向選択を行なうことができ、親指による同一形態の情報入力部材９５，９８の操作でカメラを構えた状態での焦点検出領域の縦方向選択を行うことができる。このため、カメラの姿勢によって撮影者がファインダーを観察して感じる横方向および縦方向と、カメラの絶対的なＨ方向およびＶ方向とでずれが生じても、どの情報入力部材でどの方向の焦点検出領域の選択を行えるのかを迷うことがなくなるとともに、いずれの姿勢でも同一感覚で焦点検出領域の選択操作を行うことができるので、焦点検出領域選択の操作にもたつきや誤操作を生じることを防止できる。
【００７６】
なお、本実施形態のように、第２の情報入力部材９５と第４の情報入力部材９８とをカメラの別々の位置に配置することにより、カメラの背蓋部に大型の情報入力部材を設ける必要がなくなり、カメラの小型化を図ることができる。また、親指によるダイヤル操作と比較しても、通常のカメラのホールディング状態を維持したまま入力操作が楽に行うことができる。
【００７７】
また、本実施形態では、第３の情報入力部材９４、縦姿勢用焦点検出領域選択開始ボタン９７をカメラ本体９０に着脱可能なアクセサリ９１に配置しており、カメラ本体９０とアクセサリ９１とを電気的に接続する不図示のコネクタによって両者間の制御信号の受け渡しを行っている。このため、カメラ本体９０自身の小型・軽量化を図ることができる。
【００７８】
【発明の効果】
以上説明したように、本願第１の発明によれば、カメラをいずれの姿勢で構えたときも、カメラをグリップした手の人差し指で互いに同一形態を有する第１の操作手段又は第３の操作手段を操作すれば各姿勢で構えたときの横方向の焦点検出領域選択を行え、グリップした手の親指で第２の操作手段を操作すれば各姿勢で構えたときの縦方向の焦点検出領域選択を行えるので、いずれの姿勢においても焦点検出領域選択操作が同一の感覚で行え、操作のもたつきや誤操作がなく素早い焦点検出領域選択が行える使い勝手の良いカメラを実現することができる。また、本願第２の発明によれば、カメラをいずれの姿勢で構えたときも、カメラをグリップした手の人差し指で互いに同一形態を有する第１の操作手段又は第３の操作手段を操作すれば各姿勢で構えたときの横方向の焦点検出領域選択を行え、グリップした手の親指で互いに同一形態を有する第２の操作手段又は第４の操作手段を操作すれば各姿勢で構えたときの縦方向の焦点検出領域選択を行えるので、いずれの姿勢においても焦点検出領域選択操作が同一の感覚で行え、操作のもたつきや誤操作がなく素早い焦点検出領域選択が行える使い勝手の良いカメラを実現することができる。
【００７９】
また、上記各発明では、従来の機能、操作手段、操作性を維持しているため、従来のカメラの操作に慣れた人にとっても違和感ない操作性を有し、また既存の操作手段を兼用しているため、新たな操作手段の追加が必要なく、製造コストの増加や操作方法の複雑化、カメラの大型化を抑えることができ、デザイン上も好ましい。
【００８０】
また、上記第２の発明において、第２の操作手段と第４の操作手段とをカメラの別々な位置に配置するようにすれば、第１の発明のようにカメラの背面等に大型の操作手段（第２の操作手段）を設ける必要がなくなり、カメラの小型化をはかれるとともに、通常のカメラのホールディング状態を維持したまま親指による入力操作を非常に楽に行うことができる。
【図面の簡単な説明】
【図１】本発明の第１実施形態であるカメラ（横姿勢）の背面図およびファインダー視野図である。
【図２】上記カメラ（縦姿勢）の背面図およびファインダー視野図である。
【図３】上記カメラの電気回路を示すブロック図である。
【図４】上記カメラの焦点検出領域選択フローチャートである。
【図５】上記カメラの縦姿勢でのホールディング状態の一例を示す背面図である。
【図６】上記カメラの縦姿勢でのホールディング状態の一例を示す背面図である。
【図７】本発明の第２実施形態であるカメラの背面図である。
【図８】本発明の第３実施形態であるカメラの背面図である。
【図９】本発明の第４実施形態であるカメラの背面図である。
【図１０】本発明の第５実施形態であるカメラの背面図である。
【図１１】従来のカメラ（横姿勢）の背面図およびファインダー視野図である。
【図１２】従来のカメラ（縦姿勢）の背面図およびファインダー視野図である。
【符号の説明】
１１，６０，７１，８０，９０・・・カメラ本体
１２，６２，７２，８２，９２・・・ファインダー
１３，６３，７３，８３，９３・・・第１の情報入力部材
１４，６４，７４，８４，９４・・・第３の情報入力部材
１５，６５，７５，８５，９５・・・第２の情報入力部材
１６，６６，７６，８６，９６・・・横姿勢用焦点検出領域選択開始ボタン
１７，６７，７７，８７，９７・・・縦姿勢用焦点検出領域選択開始ボタン
【図１】
0003862365.tif 000002
【図２】
0003862365.tif 000003
【図３】
0003862365.tif 000004
【図４】
0003862365.tif 000005
【図５】
0003862365.tif 000006
【図６】
0003862365.tif 000007
【図７】
0003862365.tif 000008
【図８】
0003862365.tif 000009
【図９】
0003862365.tif 000010
【図１０】
0003862365.tif 000011
【図１１】
0003862365.tif 000012
【図１２】
0003862365.tif 000013